(57)【要約】【課題】  扉を開ける動作の際に早いタイミングで水返し部材を退避させることが可能となり、水返し部材が歩行や通行の邪魔にならず、踏みつけて破損する恐れもない外開き扉装置を提供する。【解決手段】  上枠２ａ、下枠２ｂ及び左右の縦枠２ｃ，２ｄからなる枠２と、該枠２内にヒンジ３を介して外開きに開閉可能に設けられた扉４とを備え、前記下枠２ａの上面７を略平坦面に形成すると共に、下枠２ａに、扉４の開閉に連動し、扉閉鎖時に下枠２ｂ内から上方に突出して下枠２ｂと扉４間を封止し、扉開放時に下枠２ｂ内に退避する水返し部材１７を回動可能に設けると共に、該水返し部材１７の両端部と縦枠２ｃ，２ｄ間を封止する端部封止部材２０，２１を配設し、その扉吊元側の端部封止部材２０を扉戸先側の端部封止部材２１よりも下枠２ｂの長手方向に大きく形成している。【選択図】          図２
2005139629.tif 000002
【特許請求の範囲】
【請求項１】
上枠、下枠及び左右の縦枠からなる枠と、該枠内にヒンジを介して外開きに開閉可能に設けられた扉とを備え、前記下枠の上面を略平坦面に形成すると共に、下枠に、扉の開閉に連動し、扉閉鎖時に下枠内から上方に突出して下枠と扉間を封止し、扉開放時に下枠内に退避する水返し部材を回動可能に設けると共に、該水返し部材の両端部と縦枠間を封止する端部封止部材を配設し、その扉吊元側の端部封止部材を扉戸先側の端部封止部材よりも下枠の長手方向に大きく形成してなることを特徴とする外開き扉装置。
【発明の詳細な説明】
【技術分野】
【０００１】
本発明は、外開き扉装置に係り、特に下枠の上面を略平坦にしてバリアフリーにすると共に止水性の向上を図った外開き扉装置に関する。
【背景技術】
【０００２】
従来、外開き扉装置としては、例えば特許第２７１３６９１号公報に記載されたものが知られている。この外開き扉装置は、歩行障害や車椅子の通行障害とならないように下枠の上面をフラットにしている。また、下枠の上面をフラットにしたことにより生じる止水性（水密性）の低下を防止するために、下枠に扉の開閉に連動して扉閉鎖時に下枠内から上方に突出して下枠と扉間を封止し、扉開放時に下枠内に退避する水返し部材を回動可能に設けていると共にその連動機構を組み込んでいる。
【０００３】
【特許文献１】特許第２７１３６９１号公報
【発明の開示】
【発明が解決しようとする課題】
【０００４】
しかしながら、前記外開き扉装置においては、水返し部材を下枠の略全長に渡って設けているため、扉をある程度広く開けないと扉の吊元側と水返し部材が干渉するので水返し部材を突出させたり退避させたりすることができない。そのため、特に扉を開ける動作の際に遅いタイミングで水返し部材が退避するようになり、人が早く出入りしようとする時に水返し部材が未だ下枠上面から突出したままの状態にあるため、水返し部材が歩行や通行の邪魔になったり、水返し部材を踏みつけてしまい破損する恐れもある。
【０００５】
本発明は、上記事情を考慮してなされたものであり、扉を開ける動作の際に早いタイミングで水返し部材を退避させることが可能となり、水返し部材が歩行や通行の邪魔にならず、踏みつけて破損する恐れもない外開き扉装置を提供することを目的とする。
【課題を解決するための手段】
【０００６】
本発明は、上枠、下枠及び左右の縦枠からなる枠と、該枠内にヒンジを介して外開きに開閉可能に設けられた扉とを備え、前記下枠の上面を略平坦面に形成すると共に、下枠に、扉の開閉に連動し、扉閉鎖時に下枠内から上方に突出して下枠と扉間を封止し、扉開放時に下枠内に退避する水返し部材を回動可能に設けると共に、該水返し部材の両端部と縦枠間を封止する端部封止部材を配設し、その扉吊元側の端部封止部材を扉戸先側の端部封止部材よりも下枠の長手方向に大きく形成してなることを特徴とする。
【発明の効果】
【０００７】
本発明によれば、上枠、下枠及び左右の縦枠からなる枠と、該枠内にヒンジを介して外開きに開閉可能に設けられた扉とを備え、前記下枠の上面を略平坦面に形成すると共に、下枠に、扉の開閉に連動し、扉閉鎖時に下枠内から上方に突出して下枠と扉間を封止し、扉開放時に下枠内に退避する水返し部材を回動可能に設けると共に、該水返し部材の両端部と縦枠間を封止する端部封止部材を配設し、その扉吊元側の端部封止部材を扉戸先側の端部封止部材よりも下枠の長手方向に大きく形成してなるため、扉を開ける動作の際に早いタイミングで水返し部材を退避させることが可能となり、水返し部材が歩行や通行の邪魔にならず、踏みつけて破損する恐れもない。
【発明を実施するための最良の形態】
【０００８】
以下に、本発明を実施するための最良の形態について、添付図面を基に詳述する。図１は本発明の実施の形態である外開き扉装置を概略的に示す室内側正面図、図２は同外開き扉装置の横断面図、図３は同外開き扉装置の縦断面図、図４は水返し部材の動きを示す図で、（ａ）は扉開放時の要部断面図、（ｂ）は扉閉鎖時の要部断面図である。
【０００９】
これらの図において、１は建物の躯体の開口部に取付けられる外開き扉装置で、この外開き扉装置１は、例えばアルミ押出形材からなる上枠２ａ、下枠２ｂ及び左右の縦枠２ｃ，２ｄにより方形に組立てられた枠２と、この枠２内にヒンジ３を介して外開きに開閉可能に設けられた扉４とを備えている。扉４は、例えばアルミ押出形材からなる上框５ａ、中間框５ｅ、下框５ｂ及び左右の縦框５ｃ，５ｄにより組立てられる框５内にパネル例えばガラスパネル６を嵌め込んで構成されている。なお、扉４は、図示例に限定されず、例えばフラッシュドアであっても良い。扉４の吊元側縦框５ｃが一方の縦枠２ｃにヒンジ３を介して回動可能に取付けられている。
【００１０】
前記下枠２ｂの上面７は略平坦面に形成されている。室外側に配置した排水用グレーチング（図示省略）やバルコニー等のデッキ部８と、室内側の床部９とが下枠２ｂの上面と略同一平面に形成され、バリアフリー構造になっている。グレーチングの下には排水溝が設けられている。下枠２ｂ内にはこれを上下に仕切る隔壁１０が設けられている。隔壁１０の上部は長手方向に沿った溝部１２とされ、この溝部１２には下枠２ａの略平坦な上面７を形成する例えばアルミ押出形材製のカバー部材１２が固着具例えばネジ（ビス）１３で着脱可能に取付けられている。
【００１１】
隔壁１０の下部は空間部１４とされ、該空間部１４は下枠２ｂの室外壁に設けた排水口１５を通して室外の排水溝と連通されている。前記下枠２ｂの隔壁１０には、溝部１１に流入ないし浸入した雨水等の水を前記空間部１４に排水する排水孔１６が設けられ、排水孔１６から空間部１４に排水された水は排水口１５から排水溝へ排水されるようになっている。前記下枠２ｂの空間部１４は図示例の場合、中空部（ホロー部）からなっているが、これに限定されない。
【００１２】
下枠２ｂには、扉４の開閉に連動し、扉閉鎖時に下枠２ｂ内から上方に突出して下枠２ｂと扉４間を封止し、扉開放時に下枠２ｂ内に退避する水返し部材１７が回動可能（詳しくは垂直回動可能、或いは揺動可能ともいう）に配設されている。下枠２ｂには、扉４の開閉に連動させて水返し部材１７を回動（揺動）させる後述の連動機構１８が設けられている。また、下枠２ｂには、水返し部材１７の両端部と縦枠２ｃ，２ｄ間を封止する端部封止部材（気密ピース）２０，２１が配設されている。なお、端部封止部材２１は縦枠２ｄに対して固着具例えばネジで固定されていても良い（図７参照）。扉４を開ける動作の際に早いタイミングで水返し部材１７を退避させることができるようにするために、扉吊元側の端部封止部材２０が扉戸先側の端部封止部材２１よりも下枠２ｂの長手方向に大きく形成されている。例えば、扉戸先側の端部封止部材２１の長さが２０ｍｍ程度であるのに対し、扉吊元側の端部封止部材２０の長さが７０ｍｍ程度とされている。
【００１３】
前記下枠２ｂの上面７を形成するカバー部材１２には、閉鎖位置の扉４よりも室内側に、水返し部材１７の回動支点（揺動支点）である支軸部３０と、退避時の水返し部材１７を収納（収容）する凹溝部３１とが下枠２ｂの長手方向に沿って平行に設けられている。前記支軸部３０は凹溝部３１の室内側溝壁部３１ａ上端に断面略円形状に形成されている。水返し部材１７は、例えばアルミ押出形材からなり、一端（基端、室内側後縁部ともいう）には前記支軸部３０に回動可能に係合する断面略円弧状の係合部３２が形成され、他端（自由端、室外側前縁部ともいう）には下枠２ｂの上面７から室外側斜め上方（略４５°）に向くように回動して突出した突出位置のときに閉鎖位置の扉４の下部室内面に当接して扉４との間を封止するゴムまたは軟質樹脂製のヒレ状の第１の横気密材３３が設けられている。水返し部材１７の前縁部には第１の横気密材３３を取付けるための気密材取付溝３４が形成されている。
【００１４】
水返し部材１７は、凹溝部３１内に略水平に収納された退避位置から前記突出位置までの回動範囲を規制するために、前記支軸部３０にはストッパー片３５が突設され、係合部３２にはストッパー片３５の回動範囲を規制する回動規制溝３６が形成されている。前記水返し部材１７は、図４の（ａ）に示すように退避位置にあるときに上面が下枠２ｂの上面７と略同一面となるようになっており、水返し部材１７には凹溝部３１の底部に当接して水返し部材１７を退避位置に略水平状態に支持するための支持脚部３７が形成されている。
【００１５】
下枠２ｂの溝部１１を形成する室内側立上り片部１１ａには、前記水返し部材１７の後縁部上面に接して水返し部材１７と下枠２ｂ間を封止するゴムまたは軟質樹脂製のヒレ状の第２の横気密材３８が水返し部材１７の長手方向の長さと対応する範囲（長さ）で設けられている。前記室内側立上り片部１１ａには、第２の横気密材３８を取付けるための気密材取付溝３９が長手方向に沿って形成されている。前記第２の横気密材３８には、カバー部材１２の室内側溝壁部３１ａの室内面に接して水返し部材１７と室内側溝壁部３１ａ間を封止するヒレ状の補助気密片部４０が形成されていることが好ましい。
【００１６】
上枠２ａと左右の縦枠２ｃ，２ｄには閉鎖位置の扉４の室内面が当接する上部戸当り片（上部横リブ）４１と左右の側部戸当り片（縦リブ）４２が形成され、閉鎖位置の扉４と上枠２ａ及び左右の縦枠２ｃ，２ｄ間を封止するために、上部戸当り片４０にはゴムまたは軟質樹脂製の上部横気密材４３が設けられ、左右の側部戸当り片４２にはゴムまたは軟質樹脂製の縦気密材４４が設けられている。上部戸当り片４１には上部横気密材４３を取付ける気密材取付溝４５が形成され、側部戸当り片４２には縦気密材４４を取付ける気密材取付溝４６が形成されている。側部戸当り片４２の下端は端部封止部材２０，２１の上端部に当接する位置で切断されている。
【００１７】
戸先側端部封止部材２１は、図４（ｂ）、図５ないし図７に示すように、突出位置の水返し部材１７の長手方向端部と縦枠２ｄ間を覆う短尺の本体部２１ａを有し、該本体部２１ａの外端部にはこれを縦枠２ｄの内側面にネジ２２で固定するための固定部２１ｂが形成されている。本体部２１ａの下面には、水返し部材１７が長手方向に移動しないように水返し部材１７の端部を規制する規制片部２１ｃが形成されていると共に、突出位置の水返し部材１７の傾斜した上面に当接して該水返し部材１７の上面との間を封止するスポンジ状の気密材２３が設けられている。カバー部材１２の室内側溝壁部３１ａは水返し部材１７の長手方向両端位置で切断されている。
【００１８】
気密材２３は閉鎖位置の扉４の室内面に当接する突出部２３ａを有し、この突出部２３ａの下面に前記第１の横気密材３３の上部が当接するようになっており、突出部２３ａの上面には前記縦気密材４４の下端が当接されている。また、気密材２３の下端部には第２の横気密材３８が当接されている。本体部２１ａの下端部が下枠２ｂの室内側立上り片部１１ａの上端に当接され、本体部２１ａの上端部が側部戸当り片４２の下端に当接され、本体部２１ａの外端部が縦枠２ｄの内側面に当接される。これらの当接箇所の気密性を確保するために本体部２３ａの下端部、上端部および外端部にはシート状の気密材（シーラー）２４が貼着されている。
【００１９】
吊元側端部封止部材２０は、図６ないし図８に示すように、突出位置の水返し部材１７の長手方向端部と縦枠２ｃ間を覆う長尺の本体部２０ａを有し、該本体部２０ａの下部にはこれを下枠２ｂの隔壁１０の上面にネジ（図示省略）で固定するための断面略Ｌ字状の固定脚部２０ｂが形成されている。固定脚部２０ｂと干渉しないようにカバー部材１２の端部の一部が切除されている。固定脚部２０ｂの内端が水返し部材１７の端部を規制する規制部２０ｃとされている。本体部２０ａの室外側前縁部には閉鎖位置の扉４の室内面に当接して扉４との間を封止するスポンジ状の前縁部気密材２５が設けられ、この前縁部気密材２５の縦枠側端部上面には前記縦気密材４４の下端が当接されている。
【００２０】
本体部２０ａの内端側下面には、突出位置の水返し部材１７の傾斜した上面に当接して該水返し部材１７の上面との間を封止するスポンジ状の気密材２６が設けられている。この気密材２６は閉鎖位置の扉４の室内面に当接する突出部２６ａを有し、この突出部２６ａの下面に前記第１の横気密材３３の上部が当接するようになっている。また、気密材２６の下端部には第２の横気密材３８が当接されている。本体部２０ａの下端部が下枠２ｂの室内側立上り片部１１ａの上端に当接され、本体部２０ａの外端側上端部が側部戸当り片４２の下端に当接され、本体部２０ａの外端部が縦枠２ｃの内側面に当接される。これらの当接箇所の気密性を確保するために本体部２０ａの下端部、外端側上端部および外端部にはシート状の気密材（シーラー）２７が貼着されている。金属製の水返し部材１７の端部が接触することにより端部封止部材２０，２１の規制部（２０ｃ，２１ｃ）が傷つくのを防止するために前記水返し部材１７の両端部には樹脂製のキャップ２８が装着されていることが好ましい（図１４参照）。
【００２１】
前記連動機構１８は、図９、図１０ないし図１１に示すように正面Ｌ型の連動部材４７からなっている。連動部材４７は、剛性を有するよう金属板を曲げ加工して形成されている。この連動部材４７は、下枠２ｂに回動可能に軸支され、扉閉鎖時に扉４の吊元側により押動かされる一端である垂直部４７ａと、その作用で水返し部材１７を押上げる他端である水平部４７ｂとを有している。具体的には一側が長い平面略コ字状の金属製支持枠４８に連動部材４７の基部がネジからなる支軸４９を介して垂直回動可能に軸支され、支持枠４８はカバー部材１２の室外側溝壁部３１ｂにネジ５０で固定されている。
【００２２】
連動部材４７の水平部４７ｂが下枠２ｂの長手方向に沿って配置され、垂直部４７ａが吊元側の縦枠２ｃ近傍に配置され、水平部４７ｂと垂直部４７ａの交差部が支軸４９により垂直回動可能に支持されている。垂直部４７ｂは下枠２ｂの上面７よりも上方に突出している。水平部４７ｂは前記吊元側端部封止部材２０よりも長く形成され、水平部４７ｂの先端が水返し部材１７の吊元側端部の下部に位置されている。扉開放時には連動部材４７の水平部４７ｂは自重で水平の待機位置に下がり、水返し部材１７も自重で退避位置に下がり、下枠２ｂの上面７が平坦のバリアフリーになることから人の歩行や車椅子の通行が容易になる。扉閉鎖時には連動部材４７を介して水返し部材１７が突出位置に押上げられ、この突出位置の水返し部材１７に閉鎖時の扉４が当接することにより止水され、下枠２ｂの上面７が平坦面であるが故に室外側から室内側に流入ないし浸入しやすい雨水等の水の流入ないし浸入を防止することが可能となる。
【００２３】
扉４の吊元側には、扉４の閉鎖時に連動部材４７の垂直部４７ａに当接する当接板（連動部材の受け部）５１が設けられ、突出状態の水返し部材１７を誤って踏みつけたときに連動部材４７に加わる外力を吸収するために、本実施例ではこの当接板５１に吸収部材であるバネ（コイルバネ）５２が設けられている。また、前記当接板５１は、ネジ５３によって調整可能に設けられている。実施例では、扉４の吊元側縦框５ｃの前記垂直部４７ａと対応する下端部には切欠部５４が設けられ、この切欠部５４に当接板５１が位置するように吊元側縦框５ｃにはブラケット５５を介して一対のネジ５３が螺着され、両ネジ５３に跨って当接板５１がネジ５３の軸方向に移動可能に取付けられている。各ネジ５３にはブラケット５５と当接板５１間にバネ５２が取付けられ、バネ５２により当接板５１がネジ５３の頭部５３ａに当接する方向に付勢されている。当接板５１の両ネジ５３間の略中央部（扉の厚さの略中間部に位置している）に連動部材４７の垂直部４７ａが当接するようになっている。水平部４７ｂが閉鎖位置の扉４よりも室内側に位置されているのに対し、垂直部４７ａが同扉４の厚さの略中間部に位置されており、垂直部４７ａと水平部４７ｂは室内外方向に位置をずらして形成されている。ネジ５３により当接板５１の位置を調整して水返し部材１７の動作タイミングを調整できるようになっている。
【００２４】
扉開放時には連動部材４７は水平部４７ｂが自重で水平の待機位置に下がった非作動状態となり、扉４を閉める際に扉４の開度が所定角度例えば３０°程度で扉吊元側の当接板５１が連動部材４７の垂直部４７ａに接し、開度３０°程度から１５°程度にかけて当接板５１により垂直部４７ａが押動かされ、連動部材４７は水平部４７ｂが所定角度（θ）上方に回動して作動状態となり、水返し部材１７が突出位置に押上げられる。この時、まだバネ５２は圧縮されておらず、この状態で水返し部材１７を踏みつけると連動部材４７及び当接板５１を介してバネ５２が圧縮され、連動部材４７に加わる外力が吸収されることになる。そして、扉４が更に開度１５°程度から０°に閉じる時に、既に連動部材４７が作動状態にありそれ以上垂直部４７ａが動かないため、反力で当接板５１がバネ５２の付勢力に抗して所定量（ｔ）押動かされる。すなわち、扉４の閉鎖時の最終段階の動きがバネ５２の圧縮で許容ないし吸収される。
【００２５】
以上の構成からなる外開き扉装置１によれば、上枠２ａ、下枠２ｂ及び左右の縦枠２ｃ，２ｄからなる枠２と、該枠２内にヒンジ３を介して外開きに開閉可能に設けられた扉４とを備え、前記下枠２ｂの上面７を略平坦面に形成すると共に、下枠２ｂに、扉４の開閉に連動し、扉閉鎖時に下枠２ｂ内から上方に突出して下枠２ｂと扉４間を封止し、扉開放時に下枠２ｂ内に退避する水返し部材１７を回動可能に設けると共に、該水返し部材１７の両端部と縦枠２ｃ，２ｄ間を封止する端部封止部材２０，２１を設け、その扉吊元側の端部封止部材２０を扉戸先側の端部封止部材２１よりも下枠２ｂの長手方向に大きく形成してなるため、扉４を開ける動作の際に早いタイミングで水返し部材１７を退避させることが可能となり、水返し部材１７が人や車椅子の出入り（歩行や通行）の邪魔にならず、踏みつけて破損する恐れもない。
【００２６】
すなわち、水返し部材１７が吊元側縦枠２ｃの近傍まであると扉４の開閉時に扉４の吊元側と水返し部材１７が干渉しやすくなるため、扉４をある程度広く開けないと水返し部材１７が出没作動しないように設定しなければならず、扉４を開ける動作の際に遅いタイミングで水返し部材１７が退避されるので、人が扉４を開けながら室外へ出る際に未だ突出状態の水返し部材１７が邪魔になり、つまづいたり、水返し部材１７を踏みつけて破損する恐れがある。これに対して、水返し部材１７の両端部と縦枠２ｃ，２ｄ間を封止する端部封止部材２０，２１を設け、その扉吊元側の端部封止部材２０を扉戸先側の端部封止部材２１よりも下枠２ｂの長手方向に大きく形成してなるため、扉４の吊元側と水返し部材１７が干渉しにくくなり、扉４を開ける動作の際に早いタイミングで水返し部材１７を退避させることが可能となり、水返し部材１７が人や車椅子の出入り（歩行や通行）の邪魔にならず、踏みつけて破損する恐れもない。
【００２７】
また、前記連動部材４７は、下枠２ｂに回動可能に軸支され、扉閉鎖時に扉４の吊元側により押動かされる一端である垂直部４７ａと、その作用で水返し部材１７を押上げる他端である水平部４７ｂとを有するため、連動機構１８の構造が簡素化され、コストの低減及びメンテナンス性の向上が図れる。更に、扉側の連動部材の受け部である当接板５１に吸収部材であるバネ５２を設けているため、突出状態の水返し部材１７を誤って踏みつけたとしても連動部材４７に加わる外力を吸収することができ、連動機構である連動部材４７が壊れる恐れがなく、耐久性の高い外開き扉装置を提供することができる。また、前記受け部である当接板５１が調整可能に設けられているため、当接板５１の調整により水返し部材１７の動作タイミングの調整が容易にできる。
【００２８】
図１２は他の連動機構を示す図で、（ａ）は扉開放時の平面図、（ｂ）は同室内側から見た正面図、図１３は扉閉鎖時の連動機構の動作を示す室内側正面図、図１４は連動機構の動作を説明する図で、（ａ）は扉半開き時の吊元側斜視図、（ｂ）は扉閉鎖時の吊元側斜視図である。これらの図において、前記実施の形態と同一ないし均等の部分は同一参照符号を付して説明を省略し、異なる部分について説明を加える。本実施の形態では、連動部材４７側に吸収部材であるバネ部４７ｃが設けられている。すなわち、連動部材４７は弾性を有する例えばバネ鋼製の線材からなり、一端である略垂直の垂直部４７ａと他端である略水平の水平部４７ｂとを有し、垂直部４７ａと水平部４７ｂの交わる部分には線材をコイル状に加工したバネ部４７ｃが設けられている。連動部材４７は連続した１本の線材により形成されている。
【００２９】
垂直部４７ａと水平部４７ｂは間にコイル状のバネ部４７ｃを介在させることにより室内外方向に位置ずれされている。コイル状のバネ部４７ｃが支軸４９に緩く嵌り回動可能に支持されている。支軸４９は支持枠４８に取付けられ、支持枠４８の一端がカバー部材１２の下面にネジ５０で固定されている。バネ性を発揮させるために、垂直部４７ａと水平部４７ｂの交わる角度は所定の角度（α＝７５°程度）とされている。
【００３０】
一方、扉４の吊元側の連動部材４７の受け部である当接板５１にはバネが設けられていない。扉４の吊元側縦框５ｃには断面逆Ｕ字状のブラケット（取付枠）５６がネジ５７で固定され、このブラケット５６には調整ネジ５８が回転自在に支持され、この調整ネジ５８に当接板５１が螺合されている。すなわち、当接板５１には調整ネジ５８が螺合する雌ネジ孔（図示省略）が設けられ、この雌ネジ孔に螺合された調整ネジ５８を回動することにより当接板５１の位置を調整できるようになっている。調整ネジ５８がブラケット５６から脱落するのを防止するために、吊元側縦框５ｃには調整ネジ５８の頭部５８ａ側を押えるカバー材５９が前記ネジ５７で共締めされている。カバー材５９には調整ネジ５８を回動するねじ回しを挿入する孔部６０が設けられている。以上の構成からなる本実施の形態の外開き扉装置によれば、前記実施の形態と同様の作用効果を奏することができる。
【００３１】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。
【図面の簡単な説明】
【００３２】
【図１】本発明の実施の形態である外開き扉装置を概略的に示す室内側正面図である。
【図２】同外開き扉装置の横断面図である。
【図３】同外開き扉装置の縦断面図である。
【図４】水返し部材の動きを示す図で、（ａ）は扉開放時の要部断面図、（ｂ）は扉閉鎖時の要部断面図である。
【図５】戸先側端部封止部材を示す図で、（ａ）は上方から見た斜視図、（ｂ）は下方から見た斜視図である。
【図６】吊元側端部封止部材を示す図で、（ａ）は上方から見た斜視図、（ｂ）は下方から見た斜視図である。
【図７】戸先側端部封止部材の取付状態を示す図で、（ａ）は室内側から見た斜視図、（ｂ）は室外側から見た斜視図である。
【図８】吊元側端部封止部材の取付状態を示す図で、（ａ）は室内側から見た斜視図、（ｂ）は室外側から見た斜視図である。
【図９】連動機構を示す図で、（ａ）は扉開放時の平面図、（ｂ）は同室内側から見た正面図である。
【図１０】図９（ａ）のＡ−Ａ線断面図である。
【図１１】扉閉鎖時の連動機構の動作を示す室内側正面図である。
【図１２】他の連動機構を示す図で、（ａ）は扉開放時の平面図、（ｂ）は同室内側から見た正面図である。
【図１３】扉閉鎖時の連動機構の動作を示す室内側正面図である。
【図１４】連動機構の動作を説明する図で、（ａ）は扉半開き時の吊元側斜視図、（ｂ）は扉閉鎖時の吊元側斜視図である。
【符号の説明】
【００３３】
１  外開き扉装置
２  枠
２ａ  上枠
２ｂ  下枠
２ｃ、２ｄ  縦枠
３  ヒンジ
４  扉
７  下枠の上面
１７  水返し部材
４７  連動部材
４７ａ  垂直部（一端）
４７ｂ  水平部（他端）
２０  吊元側端部封止部材
２１  戸先側端部封止部材
【図１】
2005139629.tif 000003
【図２】
2005139629.tif 000004
【図３】
2005139629.tif 000005
【図４】
2005139629.tif 000006
【図５】
2005139629.tif 000007
【図６】
2005139629.tif 000008
【図７】
2005139629.tif 000009
【図８】
2005139629.tif 000010
【図９】
2005139629.tif 000011
【図１０】
2005139629.tif 000012
【図１１】
2005139629.tif 000013
【図１２】
2005139629.tif 000014
【図１３】
2005139629.tif 000015
【図１４】
2005139629.tif 000016